(57)【要約】【課題】排泄物の漏れを防止しつつ、着用者に与える不快感を軽減することができる吸収性物品を提供する。【解決手段】液透過性のトップシートと、液不透過性のバックシートと、トップシートとバックシートとの間に介在する吸収体と、バックシートに接合されるカバーシートと、吸収体の両側縁部の長手方向に沿って一対設けられ、一端部に立体ギャザーを形成する伸縮部材が伸張状態で配されているサイドシートと、を備え、腹側部、股下部および背側部を有する吸収性物品であって、トップシート、バックシートおよびカバーシートのうちの少なくとも１つとサイドシートの他端部との間には、両者を少なくとも股下部において長手方向に沿って接合して立体ギャザーの起立線を構成する接合部が設けられており、接合部は、長手方向に沿って不連続な複数の接合部で構成されていることを特徴とする。【選択図】図３
2019115459.tif 000002
【特許請求の範囲】
【請求項１】
液透過性のトップシートと、液不透過性のバックシートと、前記トップシートと前記バックシートとの間に介在する吸収体と、前記バックシートに接合されるカバーシートと、前記吸収体の両側縁部の長手方向に沿って一対設けられ、一端部に立体ギャザーを形成する伸縮部材が伸張状態で配されているサイドシートと、を備え、腹側部、股下部および背側部を有する吸収性物品であって、
前記トップシート、前記バックシートおよび前記カバーシートのうちの少なくとも１つと前記サイドシートの他端部との間には、両者を少なくとも前記股下部において前記長手方向に沿って接合して前記立体ギャザーの起立線を構成する接合部が設けられており、
前記接合部は、前記長手方向に沿って不連続な複数の接合部で構成されていることを特徴とする吸収性物品。
【請求項２】
前記複数の接合部は、前記トップシートを介して前記吸収体に重なるように前記トップシートと前記サイドシートの他端部との間に設けられていることを特徴とする請求項１に記載の吸収性物品。
【請求項３】
前記複数の接合部は、前記長手方向に隣接する接合部間の間隔が３ｍｍ〜１０ｍｍであることを特徴とする請求項１または請求項２に記載の吸収性物品。
【請求項４】
前記複数の接合部の幅寸法は、少なくとも５ｍｍであることを特徴とする請求項１乃至請求項３のいずれか１項に記載の吸収性物品。
【請求項５】
前記トップシート、前記バックシートおよび前記カバーシートのうちの少なくとも１つと前記サイドシートの他端部との間には、両者を前記腹側部及び前記背側部において前記長手方向に沿って連続的に接合する連続接合部が設けられていることを特徴とする請求項１乃至請求項４のいずれか１項に記載の吸収性物品。
【発明の詳細な説明】
【技術分野】
【０００１】
本発明は、吸収性物品に関するものである。
【背景技術】
【０００２】
従来、使い捨ておむつ（以下、おむつとも言う）等の吸収性物品においては、排泄物の漏れを防止する工夫がなされている。例えば、特許文献１に開示される技術では、吸収体の両側縁部から立ち上がる、いわゆる立体ギャザーを有し、この立体ギャザーによって排泄物の漏れを防止できるようになっている。
【先行技術文献】
【特許文献】
【０００３】
【特許文献１】特開２０１４−１８８１０５号公報
【発明の概要】
【発明が解決しようとする課題】
【０００４】
しかしながら、特許文献１に開示されたものは、排泄物などの漏れを防止することはできるが、流動性が低い軟便は吸収体に吸収されるまで時間がかかるため、着用者に対して不快感を与えるおそれがある。
【０００５】
よって、本発明の目的は、排泄物の漏れを防止しつつ、着用者に与える不快感を軽減することができる吸収性物品を提供することにある。
【課題を解決するための手段】
【０００６】
液透過性のトップシートと、液不透過性のバックシートと、トップシートとバックシ−トとの間に介在する吸収体と、バックシートに接合されるカバーシートと、吸収体の両側縁部の長手方向に沿って一対設けられ、一端部に立体ギャザーを形成する伸縮部材が伸張状態で配されているサイドシートと、を備え、腹側部、股下部および背側部を有する吸収性物品であって、トップシート、バックシートおよびカバーシートのうちの少なくとも１つとサイドシートの他端部との間には、両者を少なくとも股下部において長手方向に沿って接合して立体ギャザーの起立線を構成する接合部が設けられており、当該接合部は、長手方向に沿って不連続な複数の接合部で構成されていることを特徴とする。
【発明の効果】
【０００７】
本発明によれば、軟便等の流動性の低い排泄物を不連続な複数の接合部の間を通して立体ギャザーの起立線の外側に流出させることができ、これによって排泄物の漏れを防止しつつ着用者に与える不快感を軽減することができる。
【図面の簡単な説明】
【０００８】
【図１】本発明の一実施形態に係る使い捨ておむつの外観を示す斜視図である。
【図２】図１の使い捨ておむつの分解状態を示す分解斜視図である。
【図３】図１の使い捨ておむつの展開平面図である。
【図４】図３のＩＶ部拡大図である。
【図５】（ａ）は図３のＶａ−Ｖａ断面図、（ｂ）は図３のＶｂ−Ｖｂ断面図である。
【図６】本発明の他の実施形態に係る使い捨ておむつを図３に対応して示した展開平面図である。
【発明を実施するための形態】
【０００９】
以下、図面を参照して本発明を詳細に説明する。
【００１０】
図１は、本発明の一実施形態に係る使い捨ておむつの外観において、正面側から見た斜視図である。本実施形態におけるおむつ１０は、腹側部１０Ｆと、背側部１０Ｒと、これら腹側部１０Ｆおよび背側部１０Ｒをつなぐ股下部１０Ｃとを有する。また、着用者が着用時に腹側部１０Ｆと背側部１０Ｒとで着用者のウエスト部分を取り囲むウエスト周り開口部１０Ｗが形成されている。腹側部１０Ｆおよぶ背側部１０Ｒの一部と股下部１０Ｃとで着用者の両脚の太股部分を取り囲む左右一対の脚周り開口部１０Ｌが形成されている。以下、各部位の位置関係について説明する。
【００１１】
次に、図２に示すように、本実施形態におけるおむつは、外側から順にカバーシート１１と、立体ギャザー２およびレグギャザー３を形成する一対のサイドシート１８と、バックシート１２と、吸収体１３と着用者の肌に触れるトップシート１４と、ウエスト周りシート１６とを重ね接合したものである。さらに、カバーシート１１は、一対のサイドシート１８の下に重ねられるインナーカバーシート１１ａと、胴回りのフィット性を向上させるために糸ゴム等の伸縮部材が幅方向に配されているアウターカバーシート１１ｂとに細分され、いずれも良好な手触りを得るために薄い不織布で形成されている。おむつの腹側部１０Ｆおよび背側部１０Ｒを画成するインナーカバーシート１１ａ、アウターカバーシート１１ｂの左右両側縁部が相互に接合されて閉じ合わせ部１０Ｊを形成している。これにより、先のウエスト周り開口部１０Ｗが画成される。カバーシート１１は、腹側部１０Ｆおよび背側部１０Ｒで２つに分離されており、一対のサイドシート１８が露出することとなる。したがって、両脚の太股部分を取り囲む左右一対の脚周り開口部１０Ｌは、この一対のサイドシート１８の端部と閉じ合わせ部１０Ｊの端部とによって画成される。一対のサイドシート１８の端縁部には、立体ギャザー２を形成するための糸ゴムが伸張状態で接合されている。バックシート１２は、この一対のサイドシート１８に接合され、先の吸収体１３は、このバックシート１２とトップシート１４との間に配され、この吸収体１３を介してトップシート１４がバックシート１２に接合される。
【００１２】
トップシート１４は、着用者の肌に当接する吸収体１３の面（以下、肌当接面という）側の一部を覆うように配されている。また、着用者の体液などを吸収体１３にすばやく吸収させるために、液透過性が高く、通気性のある有孔または無孔の不織布や多孔性プラスチックシートなどの素材で形成されていることが好ましい。さらに、不織布の素材として、ポリプロピレンまたはポリエチレンなどのオレフィン系等の合成繊維、レーヨンやキュプラ等の再生繊維、綿等の天然繊維などや、これらの複合繊維や混合繊維などがある。また、それらの繊維素材を加工する方法は、公知の方法として、例えば、スパンレース法、スパンボンド法、サーマルボンド法、メルトブローン法、ニードルパンチ法、エアスルー法、ポイントボンド法などの加工法によって加工された不織布を用いることができる。また、トップシート１４は、１枚のシートからなるものでもよく、さらに２枚以上のシートからなる積層シートなどであってもよい。
【００１３】
バックシート１２は、吸収体１３の非肌当接面側の一部を覆うように配されている。また、着用者の体液などがトップシート１４を透過し、吸収体１３に吸収された体液をおむつからの漏れを防止するために、バックシート１２の素材として、例えば、ポリエチレンなどのオレフィン系樹脂等からなる防水樹脂フィルムや、このほかにも、マイクロデニール繊維を用いた不織布、熱や圧力をかけることで繊維の空隙を小さくすることによる防漏性強化、高吸収性樹脂または疎水性樹脂や撥水剤の塗工といった方法によって、液不透過性としたシートや、不織布の表面に防水樹脂フィルムを設けたラミネート不織布、防水樹脂フィルムに不織布等を重ねて接合した積層シートなどがある。さらに、尿や体液から発生するムレを防止する微多孔性シートが好ましい。これらを組み合わせることで、液不透過性と透湿性のあるバックシート１２を用いることができる。
【００１４】
吸収体１３は、トップシート１４とバックシート１２との間に介装されており、着用者の体液などを吸収し保持するための吸収体材料が用いられている。また、吸収体１３は、吸収性材料によって構成され、トップシート１４を透過した液体を吸収する機能を有している。吸収性材料として、例えば、繊維素材や高吸水性ポリマー（Ｓｕｐｅｒａｂｓｏｒｂｅｎｔ  Ｐｏｌｙｍｅｒ；ＳＡＰ）などがある。これらの繊維を積層し、繊維の集合体により吸収体１３を形成することができる。吸収体１３の形状は、腹側部１０Ｆ、背側部１０Ｒおよびこれらの間に位置し、腹側部１０Ｆおよび背側部１０Ｒと比べて幅が狭い括れ部とを有する砂時計形状のものや長方形形状のものなどであるが、本実施形態の吸収体１３の形状はこれに限らない。
【００１５】
繊維素材は、例えば、広葉樹（ユーカリやポプラなど）および針葉樹（モミやマツなど）から得られる木材パルプや、ワラ、バガス、ヨシ、ケナフなどから得られる非木材パルプや、古紙パルプなどが原料である。これらの原料をパルプにするには、原料をシート状にし、解繊機により木材を破砕する方法で得られる機械パルプと、化学的な反応により木材を分解・分離する方法で得られる化学パルプとがあり、どちらのパルプを用いてもよい。
【００１６】
高吸水性ポリマーは、通常、水の場合は自重の１００倍〜１０００倍の吸水性保持力を有するが、体液の場合は自重の１０倍〜２０倍以上の液吸水性を有し、例えば、デンプン系（デンプン−アクリル酸（塩）グラフト共重合体、デンプン−アクリル酸エチルグラフト共重合体のケン化物等）や、セルロース系（ナトリウムカルボキシメチルセルロースの架橋物等）や、合成樹脂系（アクリル酸（塩）重合体、ポリビニルアルコール−無水マレイン酸反応物の架橋物等）などを用いることができる。
【００１７】
これらの吸収体材料を、それぞれ単独で用いることも可能ではあるが、繊維素材のみを使用した場合は、肌ざわりは良いが吸水性に欠ける。逆に、高吸水性ポリマーのみを使用した場合は、吸水性は高いが、剛性も高くなり、ごわつきやすく着用者に不快感を与えることがある。そのため、繊維素材および高吸水性ポリマーを併用し、均一に混合することにより、吸水性が高く、剛性の低い吸収体１３を形成することができる。また、それぞれを層状に配置してもよく、繊維素材と高吸水性ポリマーとの混合する比率は特に限定するものではない。
【００１８】
本実施形態の吸収体１３として、吸収性材料を包装シート１５（図２では図示省略、図５に図示）によって表裏面及び両側面を取り囲むように筒状に巻き付け、ホットメルト接着剤等の接合手段により接合する形態などのものを使用することができる。包装シート１５として、例えば、その素材としては、テッシュペーパ、小孔が開いたシート、クレープ紙、不織布、ポリラミ不織布等を用いることができる。ただし、高吸収性ポリマー粒子が抜け出さないシートであることが好ましい。クレープ紙に変えて不織布を使用する場合、親水性のＳＭＳ不織布（ＳＭＳ等）が好適であって、その材質は、ポリプロピレン、ポリエチレン／ポリプロピレン複合材などが使用できる。
【００１９】
ウエスト周りシート１６は、カバーシート１１と、サイドシート１８およびトップシート１４の長手方向両端部とを覆うようにこれらに接合されている。また、ウエスト周りシート１６は、液不透過性のシートであり、例えば、エアスルー不織布、スパンボンド不織布、ヒートロール不織布、スパンレース不織布などの一般的な不織布が用いられ、エアスルー不織布やスパンボンド不織布が好ましい。
【００２０】
サイドシート１８は、吸収体１３の側縁部長手方向に沿って一対設けられている。サイドシート１８の幅方向内側の一端部には、複数の伸縮部材２０が配設され、立体ギャザー２を形成している。また、サイドシート１８の幅方向外側の端部には、複数の伸縮部材２０が配設され、着用者の太股部分を取り囲むレグギャザー３を形成している。
【００２１】
伸縮部材２０は、糸状または帯状の弾性ゴムが好ましい。弾性ゴムのゴム材としては、天然ゴムや、スチレン系ゴム、ウレタン系ゴム、エステル系ゴムなどの合成ゴム等の素材を用いることができる。伸縮部材２０は、サイドシート１８の長手方向の端部にそれぞれ配設され、それぞれ立体ギャザー２およびレグギャザー３を形成する。伸縮部材２０は、ホットメルト接着剤などの接着手段によってサイドシート１８に接着される。
【００２２】
左右一対の立体ギャザー２は、おむつ１０の腹側部１０Ｆおよび股下部１０Ｃ、背側部１０Ｒに亘って、配設されている。立体ギャザー２は、着用者の脚周りから尿や体液などが漏れるのを防止するために設けられているものである。立体ギャザー２の不織布素材としては、バックシート１２の素材と同様に、ポリプロピレンまたはポリエチレンなどのオレフィン系等の合成繊維、レーヨンやキュプラ等の再生繊維などがあり、それらの繊維素材をスパンレース法、サーマルボンド法、メルトブローン法などの加工法によって得られた不織布を用いることができるが、さらに、尿や体液などの漏れを防止するために液不透過性があり、着用者の肌のカブレなどを防止するために透湿性を兼ね備えた不織布を用いるのが好ましい。なお、本実施形態の一対の立体ギャザー２は、吸収体１３の左右各側縁において一重に設けられており、付け根側の部分は幅方向中央側に向かって斜めに起立し、中間部より先端側の部分は幅方向外側に向かって斜めに起立するものであってもよい。
【００２３】
次に、図３は、本実施形態に係る吸収性物品の展開平面図である。本実施形態の一対のサイドシート１８は、幅方向外側の端部が吸収体１３の長手方向に沿ってトップシート１４およびバックシート１２と接合されている。トップシート１４とサイドシート１８の幅方向内側の端部との間には、両者をおむつ長手方向に沿って接合して立体ギャザー２の起立線を構成する接合部１９がトップシート１４を介して吸収体１３に重なるように設けられている。接合部１９は、おむつ長手方向に沿って不連続な複数の接合部で構成されている。すなわち、このサイドシート１８とトップシート１４との不連続の複数の接合部１９が立体ギャザー２の起立線であり、この不連続な複数の接合部１９によって固定されているため、着用時に起立することができる。この接合部１９は、図４の拡大図に示すように、おむつ長手方向の長さＬ１は３ｍｍ〜１０ｍｍであり、おむつ幅方向の幅寸法Ｗは、少なくとも５ｍｍである。本実施形態では、接合部１９の幅寸法Ｗを５ｍｍとしたが、適宜変更可能である。また、接着方法としては、ノズルなどによってシートに吐出をして接着する方法がある。おむつ長手方向の長さＬ１が３ｍｍの場合は、転写方式によって接着する方法を用いてもよい。また、接合部１９の接合手段として、ホットメルト、ソニック、ヒートシートなどを用いてもよい。そして、おむつ長手方向に隣接する接合部１９と接合部１９との長さＬ２は３ｍｍ〜１０ｍｍであり、この接合部１９と接合部１９との間を通して流動性の低い軟便などを立体ギャザー２の起立線の外側に流出させることができる。これによって、流動性の低い軟便などが立体ギャザー２の内側に留まることがなく、着用者への不快感を軽減することができる。また、接合部１９がトップシート１４を介して吸収体１３に重なるように設けられているので、着用者の肌へのトップシート１４の接触を低減することができ、これによって排尿後の着用者への不快感を低減できる。
【００２４】
次に、トップシート１４とサイドシート１８の幅方向内側の端部の接合ついて図３のそれぞれの断面図を用いて、説明する。図５（ａ）は、本実施形態に係る使い捨ておむつにおいて、図３のＶａ−Ｖａ断面図である。サイドシート１８の幅方向内側の端部とトップシート１４とが接合されており、この接合部１９からレグギャザー３までの間に空間Ｓを設けることで、おむつ長手方向に隣接する接合部１９と接合部１９との間を通してより多くの軟便等を立体ギャザー２の起立線の外側に流出させることができる。本実施形態では、接合部１９からレグギャザー３までの間に空間Ｓを設けたが、空間Ｓを設けず、サイドシート１８の幅方向内側の端部とトップシート１４とを接合するようにしてもよい。また、図５（ｂ）は、本実施形態に係る使い捨ておむつにおいて、図３のＶｂ−Ｖｂ断面図であり、サイドシート１８の幅方向内側の端部とトップシート１４とが接合されていない部分の断面図である。この接合部１９と接合部１９との間から吸収体１３に吸収されにくい軟便等を立体ギャザー２の起立線の外側に流出流入させることができる。
【００２５】
このように、立体ギャザー２の起立線を構成する接合部１９を股下部１０ｃにおいて不連続とすることで、軟便等の流動性の低い排泄物をおむつ長手方向に隣接する接合部１９と接合部１９との間を通して立体ギャザー２の起立線の外側に流出させることができ、これによって着用者に与える不快感を軽減することができる。
【００２６】
上記実施の形態では、不連続な複数の接合部１９をサイドシート１８のおむつ長手方向略全域に亘って設けたが、図６に示されるように、腹側部１０Ｆ及び背側部１０Ｒにおける伸縮部材２０が配設されていない部位においてはサイドシート１８の幅方向内側の端部とトップシート１４とをおむつ長手方向に沿って連続的に接合する連続接合部２１としてもよい。
【００２７】
なお、本発明は、上述した実施形態に限られること無く、適宜の変形、修正および代替などが可能である。本実施形態では、使い捨ておむつとしてパンツ型を用いたが、展開型でもよい。
【符号の説明】
【００２８】
１０    おむつ
１０Ｆ  腹側部
１０Ｒ  背側部
１０Ｃ  股下部
１１    カバーシート
１２    バックシート
１３    吸収体
１４    トップシート
１５    包装シート
１８    サイドシート
１９    接合部
２      立体ギャザー
２０    伸縮部材
３      レグギャザー
【図１】
2019115459.tif 000003
【図２】
2019115459.tif 000004
【図３】
2019115459.tif 000005
【図４】
2019115459.tif 000006
【図５】
2019115459.tif 000007
【図６】
2019115459.tif 000008